(57)【要約】【課題】エアリード楽器等の発音体において、音色を変えることができるようにする。【解決手段】ウィンドウェイ４を有する唄口部２Ａと、唄口部２Ａに接続された本体部３Ａと、本体部３Ａに設けられ、ウィンドウェイ４の吹き出し口７に対向して配されるエッジ８と、を備え、唄口部２Ａ及びエッジ８の少なくとも一方が、吹き出し口７とエッジ８との間隔を調整するように、本体部３Ａに対して移動可能に設けられている発音体１Ａを提供する。【選択図】図１
2017129610.tif 000002
【特許請求の範囲】
【請求項１】
ウィンドウェイを有する唄口部と、
前記唄口部に接続された本体部と、
前記本体部に設けられ、前記ウィンドウェイの吹き出し口に対向して配されるエッジと、を備え、
前記唄口部及び前記エッジの少なくとも一方が、前記吹き出し口と前記エッジとの間隔を調整するように、前記本体部に対して移動可能に設けられている発音体。
【請求項２】
前記唄口部及び前記エッジの少なくとも一方が、前記本体部に対して前記吹き出し口及び前記エッジの配列方向に移動可能である請求項１に記載の発音体。
【請求項３】
ウィンドウェイを有する唄口部と、
前記唄口部に接続された本体部と、
前記本体部に設けられ、前記ウィンドウェイの吹き出し口に対向して配されるエッジと、
前記吹き出し口と前記エッジとの間隔を調整する間隔調整部と、を備える発音体。
【請求項４】
前記間隔調整部は、前記唄口部及び前記本体部の少なくとも一方に対して着脱可能に取り付けられる取付調整部を備える請求項３に記載の発音体。
【請求項５】
前記取付調整部は、エッジをなす部位を有する請求項４に記載の発音体。
【請求項６】
前記取付調整部は、吹き出し口をなす部位を有する請求項４に記載の発音体。
【発明の詳細な説明】
【技術分野】
【０００１】
本発明は、発音体に関する。
【背景技術】
【０００２】
従来、ウィンドウェイを有する唄口部と、ウィンドウェイの吹き出し口に対向して配されるエッジと、を有する発音体がある。この種の発音体には、リコーダー等のエアリード楽器の他に、ホイッスル等もある。
特許文献１には、発音体として、気道管（唄口部）のうち気道出口（吹き出し口）側の端部に、気道管に対して回転可能なピッチ調整リングを設けたリコーダーが開示されている。このリコーダーでは、ピッチ調整リングを回転させることで、出力される音のピッチを変化させることができる。
【先行技術文献】
【特許文献】
【０００３】
【特許文献１】特公平６−１０３４３５号公報
【発明の概要】
【発明が解決しようとする課題】
【０００４】
しかしながら、リコーダー等の従来の発音体では、出力される音の音色を変化させることができない。音色を変える場合には、別の発音体を用意する必要があり、面倒である。
【０００５】
本発明は、上述した事情に鑑みてなされたものであって、音色を変えることが可能な発音体を提供することを目的とする。
【課題を解決するための手段】
【０００６】
本発明は、ウィンドウェイを有する唄口部と、前記唄口部に接続された本体部と、前記本体部に設けられ、前記ウィンドウェイの吹き出し口に対向して配されるエッジと、を備え、前記唄口部及び前記エッジの少なくとも一方が、前記吹き出し口と前記エッジとの間隔を調整するように、前記本体部に対して移動可能に設けられている発音体を提供する。
また、本発明は、ウィンドウェイを有する唄口部と、前記唄口部に接続された本体部と、前記本体部に設けられ、前記ウィンドウェイの吹き出し口に対向して配されるエッジと、前記吹き出し口と前記エッジとの間隔を調整する間隔調整部と、を備える発音体を提供する。
【発明の効果】
【０００７】
本発明によれば、吹き出し口とエッジとの間隔を調整することで、発音体から出力される音の音色を変えることが可能となる。
【図面の簡単な説明】
【０００８】
【図１】本発明の第一実施形態に係る発音体の要部を示す正面図である。
【図２】図１のII−II矢視断面図である。
【図３】図１，２の発音体の要部を示す分解斜視図である。
【図４】吹き出し口とエッジとの間隔が小さい発音体による音圧レベルの周波数特性の一例を示すグラフである。
【図５】吹き出し口とエッジとの間隔が大きい発音体による音圧レベルの周波数特性の一例を示すグラフである。
【図６】本発明の第二実施形態に係る発音体の要部を示す正面図である。
【図７】図６のVII−VII矢視断面図である。
【図８】本発明の第三実施形態に係る発音体の第一例の要部を示す断面図である。
【図９】本発明の第三実施形態に係る発音体の第二例の要部を示す断面図である。
【図１０】本発明の第四実施形態に係る発音体の要部を示す断面図である。
【発明を実施するための形態】
【０００９】
〔第一実施形態〕
以下、図１〜５を参照して本発明の第一実施形態について説明する。
図１〜３に示すように、本実施形態の発音体は、エアリード楽器の一種であるリコーダーである。本実施形態の発音体１Ａは、ウィンドウェイ４を有する唄口部２Ａと、空洞５（共鳴部）を有する本体部３Ａと、本体部３Ａに設けられるエッジ８と、を備える。
唄口部２Ａのウィンドウェイ４は、両端が開口する気道（流路）であり、一方の開口端（吹き込み口６）から流入した空気を他方の開口端（吹き出し口７）から流出させる。
【００１０】
本体部３Ａは、唄口部２Ａのうちウィンドウェイ４の吹き出し口７側の端部に接続されている。エッジ８は、吹き出し口７に対向して配される。吹き出し口７が開口する唄口部２Ａの開口端面１０と、これに対向するエッジ８との間には、本体部３Ａの空洞５を外部に連通させる窓部９が形成されている。
本実施形態における本体部３Ａは、少なくともリコーダーの頭部管を含むものであり、ウィンドウェイ４の長手方向に延びる筒状に形成されている。本体部３Ａは、頭部管の他に、音孔を有する中部管や足部管を含んでもよい。
【００１１】
本実施形態の発音体１Ａでは、唄口部２Ａが、吹き出し口７とエッジ８との間隔を調整するように、本体部３Ａに対して移動可能に設けられている。唄口部２Ａは、本体部３Ａに対して吹き出し口７及びエッジ８の配列方向に移動可能である。
言い換えれば、発音体１Ａは、吹き出し口７とエッジ８との間隔を調整する間隔調整部２０Ａを備える。本実施形態の間隔調整部２０Ａは、本体部３Ａに対して吹き出し口７及びエッジ８の配列方向に移動可能に設けられた可動調整部２１Ａを備える。
本実施形態の可動調整部２１Ａは、エッジ８に対して近接離間する方向に移動可能とされた唄口部２Ａによって構成されている。言い換えれば、本実施形態の可動調整部２１Ａは、唄口部２Ａが本体部３Ａに対してウィンドウェイ４の長手方向（吹き出し口７及びエッジ８の配列方向）に移動可能とされることで構成されている。以下、この点について具体的に説明する。
【００１２】
本実施形態の本体部３Ａは、ウィンドウェイ４の長手方向に直線状に延びて形成され、後述する唄口部２Ａの挿入部２４が挿入される筒部２２を有する。軸方向に直交する筒部２２の断面形状は任意であってよいが、本実施形態では円環状である。
筒部２２には、唄口部２Ａ側に位置する筒部２２の開口端から筒部２２の軸方向に延びる切欠溝２３が形成されている。本体部３Ａのエッジ８は、切欠溝２３の延在方向先端に位置している。
【００１３】
本実施形態の唄口部２Ａは、本体部３Ａの筒部２２に挿入される挿入部２４を備える。挿入部２４は、筒部２２に挿入された状態でウィンドウェイ４の長手方向に摺動するように形成されている。また、本実施形態の挿入部２４は、筒部２２との間に摩擦が生じるように形成されている。
挿入部２４は、ウィンドウェイ４の長手方向に直線状に延びて形成され、筒部２２の内側に挿入される柱状部２５と、柱状部２５の側部から突出して形成され、筒部２２の切欠溝２３に挿入される突出部２６と、を有する。
【００１４】
軸方向に直交する柱状部２５の断面の形状や大きさは、筒部２２の内周に対応して形成されている。すなわち、本実施形態の柱状部２５は円柱状に形成されている。
【００１５】
柱状部２５の軸方向に直交する突出部２６の断面の形状や大きさは、筒部２２の切欠溝２３の断面に対応して形成されている。例えば、筒部２２や柱状部２５の周方向における切欠溝２３及び突出部２６の幅寸法は、互いに対応している。
突出部２６は、少なくとも唄口部２Ａにウィンドウェイ４が形成されるように、かつ、柱状部２５と共にウィンドウェイ４の吹き出し口７が開口する唄口部２Ａの開口端面１０を構成するように形成されればよい。突出部２６は、例えば柱状部２５のうちウィンドウェイ４の吹き出し口７側の端部のみに形成されてもよいが、本実施形態では、柱状部２５の軸方向両端にわたって形成されている。
【００１６】
上記した挿入部２４は、例えば唄口部２Ａ全体を構成してもよいが、本実施形態では、唄口部２Ａのうちウィンドウェイ４の吹き出し口７側の部位のみを構成している。すなわち、本実施形態の唄口部２Ａは、挿入部２４の他に、ウィンドウェイ４の吹き込み口６側の部位を構成する吹き込み部２７を備える。
吹き込み部２７のうち挿入部２４側の端部は、挿入部２４（特に柱状部２５）の外側に突出するように形成されている。このため、挿入部２４全体が本体部３Ａの筒部２２内に挿入された状態では、吹き込み部２７が筒部２２の開口端に当接する。
【００１７】
以上のように構成される本実施形態の発音体１Ａにおいて、上記した挿入部２４が筒部２２に挿入された状態では、エッジ８と挿入部２４（開口端面１０）との間に位置する切欠溝２３の部分が、本体部３Ａの空洞５を外部に連通させる窓部９を構成する。
そして、挿入部２４が本体部３Ａに対してウィンドウェイ４の長手方向に摺動することで、ウィンドウェイ４の吹き出し口７（唄口部２Ａの開口端面１０）がエッジ８に対して近接離間する方向に移動する。
【００１８】
以上説明したように、本実施形態の発音体１Ａによれば、唄口部２Ａが本体部３Ａに対して移動可能に設けられていることで、吹き出し口７とエッジ８との間隔を調整できる。これにより、発音体１Ａから出力される音の音色（周波数特性）を変えることが可能となる。すなわち、同一の発音体１Ａから複数種類の音色の音を簡単に出力することができる。
発音体１Ａをエアリード楽器として使用する場合には、複数種類の音色の音を出力できることで、演奏の表現力を向上することができる。
【００１９】
以下、吹き出し口７とエッジ８との間隔と、音色（周波数特性）の変化との関係について、図４，５を参照して説明する。図４，５のグラフは、いずれも発音体１Ａから出力された発生音の周波数特性を示している。図４のグラフは、吹き出し口７とエッジ８との間隔が比較的大きい場合の周波数特性、図５のグラフは、吹き出し口７とエッジ８との間隔が比較的小さい場合の周波数特性を示している。
【００２０】
図４，５のいずれのグラフにおいても、複数の周波数においてピークが現れている。ただし、図５のように吹き出し口７とエッジ８との間隔が小さい場合には、図４のように吹き出し口７とエッジ８との間隔が大きい場合と比較して、ピークの数が多く、また、より高い周波数においてピークが現れる。
すなわち、吹き出し口７とエッジ８との間隔が小さくなるほど、高周波成分を多く含む豊かな音が発音体１Ａから出力される。逆に、吹き出し口７とエッジ８との間隔が大きくなるほど、高周波成分が少なく基音（最も低い周波数におけるピークに対応する音）が際立つ純粋な音が発音体１Ａから出力される。
【００２１】
また、本実施形態の発音体１Ａでは、唄口部２Ａが本体部３Ａに対して移動可能に設けられている。このため、同一の発音体１Ａにおいて、より多くの種類の音色の音を出力することが可能となる、言い換えれば、音色を細かく変化させることができる。これにより、演奏の表現力をさらに向上できる。
また、別途部材を用いずに吹き出し口７とエッジ８とを相対移動させるだけで音色を変化できるため、演奏中（特に演奏曲の演奏途中）であっても素早くかつ簡単に音色を変化させることが可能となる。
【００２２】
また、本実施形態の発音体１Ａでは、唄口部２Ａが本体部３Ａに対して吹き出し口７及びエッジ８の配列方向に移動可能となっている。このため、唄口部２Ａが本体部３Ａに対して移動しても、吹き出し口７及びエッジ８の配列方向と直交する方向において、吹き出し口７とエッジ８との相対的な位置関係が変化することを防止できる。
【００２３】
また、本実施形態の発音体１Ａによれば、発音体１Ａの演奏者は、例えば唇を唄口部２Ａに押し付けて唄口部２Ａをエッジ８に近づけたり、唇で唄口部２Ａを挟み込んで引張って唄口部２Ａをエッジ８から遠ざけたりすることができる。すなわち、手を用いなくても音色を変化させることが可能となる。したがって、演奏中であってもより簡単に音色を変化させることができる。
【００２４】
また、本実施形態の発音体１Ａでは、唄口部２Ａの挿入部２４と本体部３Ａの筒部２２との間に摩擦が生じる。このため、吹き出し口７とエッジ８との間隔を上記摩擦によって保持することもできる。すなわち、演奏中において音色が不意に変化することを防止できる。
【００２５】
また、本実施形態の発音体１Ａでは、唄口部２Ａが筒部２２の開口端に当接する吹き込み部２７を備える。このため、挿入部２４の長さ寸法（筒部２２の軸方向長さ）を、切欠溝２３の長さ寸法（筒部２２の開口端からエッジ８までの長さ）よりも短く設定することで、唄口部２Ａの開口端面１０がエッジ８に当接することを防止できる。すなわち、エッジ８の保護を図ることができる。
【００２６】
〔第二実施形態〕
次に、図６，７を参照して本発明の第二実施形態について説明する。本実施形態では、第一実施形態と同様の構成要素について同一符号を付す等して、その説明を省略する。
【００２７】
図６，７に示すように、本実施形態の発音体１Ｂは、第一実施形態と同様に、唄口部２Ｂ、本体部３Ｂ及びエッジ８を備える。ただし、本実施形態の発音体１Ｂでは、エッジ８が、吹き出し口７とエッジ８との間隔を調整するように、本体部３Ａに対して移動可能に設けられている。エッジ８は、本体部３Ａに対して吹き出し口７及びエッジ８の配列方向に移動可能である。
言い換えれば、本実施形態の発音体１Ｂは、第一実施形態と同様に、吹き出し口７とエッジ８との間隔を調整する間隔調整部２０Ｂを備える。また、間隔調整部２０Ｂは、本体部３Ｂに対して吹き出し口７及びエッジ８の配列方向に移動可能に設けられた可動調整部２１Ｂを備える。ただし、本実施形態の可動調整部２１Ｂは、唄口部２Ｂの吹き出し口７に対して近接離間する方向に移動可能とされたエッジ８によって構成されている。言い換えれば、本実施形態の可動調整部２１Ｂは、エッジ８が唄口部２Ｂ及び本体部３Ｂに対してウィンドウェイ４の長手方向に移動可能とされていることで構成されている。以下、この点について具体的に説明する。
【００２８】
本実施形態の唄口部２Ｂは、本体部３Ｂに対して移動不能に固定されている。
本実施形態の発音体１Ｂは、本体部３Ｂに対してウィンドウェイ４の長手方向に摺動可能に設けられた可動部材３２を備える。本体部３Ｂのうちウィンドウェイ４の吹き出し口７に対応する部位には、ウィンドウェイ４の長手方向に延び、可動部材３２が挿入される挿入溝３３が形成されている。
【００２９】
吹き出し口７側に位置する挿入溝３３の長手方向の第一端は、唄口部２Ｂの開口端面１０に到達している。一方、挿入溝３３の長手方向の第二端（不図示）は、例えば本体部３Ｂの端部に開口してもよいし、開口しなくてもよい。
挿入溝３３のうち少なくとも第一端側の部位は、本体部３Ｂの外側から内側に貫通して形成されている。このため、本体部３Ｂの空洞５は、少なくとも挿入溝３３の第一端側の部位を介して外部空間に連通する。一方、挿入溝３３の第二端側の部位は、例えば本体部３Ｂの内側に開口しなくてもよいし、第一端側の部位と同様に本体部３Ｂの内側に開口してもよい。
【００３０】
挿入溝３３のうちその幅方向の両端をなす一対の内側面３４，３４は、例えば互いに平行してもよいが、本実施形態では本体部３Ｂの外側から内側に向かうにしたがって互いに近づくように形成されている。すなわち、挿入溝３３は、その幅寸法が本体部３Ｂの外側から内側に向かうにしたがって小さくなるように形成されている。言い換えれば、長手方向に直交する挿入溝３３の断面形状は、扇状に形成されている。
また、挿入溝３３の各内側面３４には、挿入溝３３の長手方向に延びる有底の保持用溝３５が形成されている。保持用溝３５は、後述する可動部材３２を挿入溝３３内に保持する。吹き出し口７側に位置する保持用溝３５の長手方向の第一端は、例えば挿入溝３３と同様に唄口部２Ｂの開口端面１０に到達してもよいが、本実施形態では開口端面１０から離れて位置する。
【００３１】
可動部材３２は、挿入溝３３の長手方向に延びる細長い形状に形成されている。吹き出し口７側に位置する可動部材３２の長手方向の第一端には、エッジ８が設けられている。
一方、可動部材３２の長手方向の第二端（不図示）は、少なくとも可動部材３２を吹き出し口７側に移動させても、可動部材３２の第二端側において本体部３Ｂの空洞５が挿入溝３３を介して外部空間に連通しないように位置すればよい。例えば、挿入溝３３の第二端側の部位が本体部３Ｂの内側に開口し、かつ、挿入溝３３の第二端が長手方向における本体部３Ｂの端部に開口する場合、可動部材３２の第二端は、本体部３Ｂの端部から突出するように位置してもよい。
【００３２】
可動部材３２は、挿入溝３３との間に摩擦が生じるように形成されている。
具体的に説明すれば、長手方向に直交する可動部材３２の断面形状は、前述した挿入溝３３の断面形状に対応する。すなわち、本実施形態において、可動部材３２の断面形状は挿入溝３３と同様の扇状に形成されている。これにより、可動部材３２は、挿入溝３３の内側面３４に面接触し、内側面３４との間に摩擦を生じ得る。
【００３３】
また、可動部材３２には、挿入溝３３の各保持用溝３５に挿入される一対の突起３６，３６が形成されている。一対の突起３６，３６が挿入溝３３の各保持用溝３５に挿入された状態では、可動部材３２が挿入溝３３から抜け出ることを防止できる。また、この状態では、可動部材３２が挿入溝３３の一対の内側面３４，３４に押し付けられ、可動部材３２と挿入溝３３との間に摩擦を生じさせることができる。各突起３６は、図示例のように可動部材３２の長手方向に延びて形成されてもよいが、これに限ることはない。本実施形態において、各突起３６は可動部材３２のうちエッジ８から長手方向に離れた位置に形成されている。
【００３４】
以上のように構成される本実施形態の発音体１Ｂにおいて、上記した可動部材３２が挿入溝３３に挿入された状態では、エッジ８と開口端面１０との間に位置する挿入溝３３の部分が、本体部３Ｂの空洞５を外部に連通させる窓部９を構成する。
そして、可動部材３２が本体部３Ｂに対してウィンドウェイ４の長手方向に摺動することで、エッジ８がウィンドウェイ４の吹き出し口７（唄口部２Ｂの開口端面１０）に対して近接離間する方向に移動する。
【００３５】
以上説明したように、本実施形態の発音体１Ｂによれば、第一実施形態と同様の効果を奏する。
また、本実施形態の発音体１Ｂでは、エッジ８が吹き出し口７に対して近接離間する方向に移動可能となっている。このため、唄口部２Ａがエッジ８に対して移動する第一実施形態の発音体１Ａと比較して、音色が演奏中に不用意に変化することをより確実に防止できる。
また、本実施形態の発音体１Ｂでは、吹き出し口７側に位置する保持用溝３５の第一端が開口端面１０から離れて位置する。これにより、可動部材３２を吹き出し口７側に移動させると、突起３６が保持用溝３５の第一端に当接するため、エッジ８が唄口部２Ｂの開口端面１０に当接することを防止できる。すなわち、第一実施形態と同様にエッジ８の保護を図ることができる。
【００３６】
上記した第二実施形態において、可動部材３２は、本体部３Ｂの挿入溝３３に挿入されることに限らず、例えば本体部３Ｂの内周面に配されてもよい。この場合、挿入溝３３は、その長手方向の第一端から第二端にわたって本体部３Ｂの外側から内側に貫通して形成されればよい。また、本体部３Ｂの挿入溝３３にはエッジ８のみが挿入されればよい。
上記構成の発音体１Ｂでは、例えば上記第二実施形態と同様に、本体部３Ｂの内周面及び可動部材３２の一方に一対の保持用溝３５，３５が形成され、他方に一対の突起３６，３６が形成される等して、可動部材３２が本体部３Ｂの内周面に保持されてもよい。
【００３７】
〔第三実施形態〕
次に、図８，９を参照して本発明の第三実施形態について説明する。本実施形態では、第一、第二実施形態と同様の構成要素について同一符号を付す等して、その説明を省略する。
【００３８】
図８，９に示すように、本実施形態の発音体１Ｃ，１Ｄは、第一実施形態と同様に、唄口部２Ｃ，２Ｄ、本体部３Ｃ，３Ｄ及びエッジ８を備える。また、本実施形態の発音体１Ｃ，１Ｄは、第一実施形態と同様に、吹き出し口７とエッジ８との間隔を調整する間隔調整部２０Ｃ，２０Ｄを備える。
ただし、本実施形態の間隔調整部２０Ｃ，２０Ｄは、唄口部２Ｃ，２Ｄ及び本体部３Ｃ，３Ｄの少なくとも一方に対して着脱可能に取り付けられる取付調整部を備える。すなわち、取付調整部は、発音体１Ｃ，１Ｄに対して着脱可能に取り付けられる。取付調整部が発音体１Ｃ，１Ｄに対して着脱されることで、吹き出し口７とエッジ８との相対的な間隔が調整される。
【００３９】
本実施形態における取付調整部は、エッジ８をなす部位を有し、本体部３Ｃ，３Ｄに対して着脱可能に取り付けられるエッジ位置調整部材４１Ｃ，４１Ｄである。以下、本実施形態のエッジ位置調整部材４１Ｃ，４１Ｄを含む発音体１Ｃ，１Ｄの構成について、具体的に説明する。
【００４０】
本実施形態では、図８に例示する第一例の発音体１Ｃと、図９に例示する第二例の発音体１Ｄとがある。これら発音体１Ｃ，１Ｄにおけるエッジ８は、いずれも本体部３Ｃ，３Ｄに一体に形成されている第一エッジ４２Ｃ，４２Ｄと、エッジ位置調整部材４１Ｃ，４１Ｄに形成されている第二エッジ４３Ｃ，４３Ｄとを含む。すなわち、第一エッジ４２Ｃ，４２Ｄ及び第二エッジ４３Ｃ，４３Ｄは、いずれも発音体１Ｃ，１Ｄのエッジ８をなす部位である。第一エッジ４２Ｃ，４２Ｄ及び第二エッジ４３Ｃ，４３Ｄの形状は、例えば互いに異なっていてもよいが、本実施形態では互いに等しい。
【００４１】
図８に示すように、第一例の発音体１Ｃにおけるエッジ位置調整部材４１Ｃには、本体部３Ｃの第一エッジ４２Ｃを挿入する挿入孔４４が形成されている。挿入孔４４は、これに本体部３Ｃの第一エッジ４２Ｃが嵌まるように形成されている。これにより、エッジ位置調整部材４１Ｃを本体部３Ｃに取り付けた状態では、エッジ位置調整部材４１Ｃを本体部３Ｃに固定することができる。すなわち、エッジ位置調整部材４１Ｃの第二エッジ４３Ｃを吹き出し口７に対して位置決めすることができる。
第一例のエッジ位置調整部材４１Ｃを構成する材料は、任意であってよく、例えばゴム等のように弾性を有する材料であってもよい。
【００４２】
図９に示すように、第二例の発音体１Ｄにおけるエッジ位置調整部材４１Ｄは、窓部９内において本体部３Ｄの第一エッジ４２Ｄと吹き出し口７との間に配されるように、本体部３Ｄに取り付けられる。図９において、エッジ位置調整部材４１Ｄは、吹き出し口７側に向く第一エッジ４２Ｄの傾斜面４５に重ねて配されるように形成されているが、これに限ることはない。少なくともエッジ位置調整部材４１Ｄを本体部３Ｄに取り付けた状態で、本体部３Ｄの空洞５が第一エッジ４２Ｄとエッジ位置調整部材４１Ｄとの間から外部に露出しなければよい。
エッジ位置調整部材４１Ｄの第二エッジ４３Ｄを吹き出し口７に対して位置決めする手段は、任意であってよいが、図９においては、エッジ位置調整部材４１Ｄに形成された係止突起４６と、本体部３Ｄに形成されて係止突起４６が係止する係止溝４７とによって構成されている。例えば、係止突起４６が本体部３Ｄに形成され、係止溝４７がエッジ位置調整部材４１Ｄに形成されてもよい。
【００４３】
本実施形態の発音体１Ｃ，１Ｄでは、エッジ位置調整部材４１Ｃ，４１Ｄが本体部３Ｃ，３Ｄに取り付けられることで、エッジ位置調整部材４１Ｃ，４１Ｄの第二エッジ４３Ｃ，４３Ｄが、本体部３Ｃ，３Ｄの第一エッジ４２Ｃ，４２Ｄよりも吹き出し口７の近くに配される。これにより、発音体１Ｃ，１Ｄの吹き出し口７とエッジ８との相対的な間隔を変えることができる。
【００４４】
以上説明したように、本実施形態の発音体１Ｃ，１Ｄによれば、エッジ位置調整部材４１Ｃ，４１Ｄを本体部３Ｃ，３Ｄに対して着脱することで、吹き出し口７とエッジ８との相対的な間隔を変えることができる。したがって、第一、第二実施形態の発音体１Ａ，１Ｂと同様に、発音体１Ｃ，１Ｄから出力される音の音色を変えることが可能となる。
また、本実施形態の発音体１Ｃ，１Ｄによれば、エッジ位置調整部材４１Ｃ，４１Ｄを本体部３Ｃ，３Ｄに対して着脱するだけで、音色を簡単に変えることができる。
また、本実施形態のエッジ位置調整部材４１Ｃ，４１Ｄは、従来構成の発音体に対して着脱可能に構成されている。このため、従来構成の発音体にエッジ位置調整部材４１Ｃ，４１Ｄを適用するだけで、従来構成の発音体の音色を変えることもできる。
【００４５】
また、本実施形態の発音体１Ｃ，１Ｄでは、大きさ（特にウィンドウェイ４の長手方向におけるエッジ８の長さ寸法）が互いに異なる複数種類のエッジ位置調整部材４１Ｃ，４１Ｄを用意することもできる。このため、複数種類のエッジ位置調整部材４１Ｃ，４１Ｄを交換することで、より多くの種類の音色を出力することが可能となる。
【００４６】
上記した第三実施形態の発音体１Ｃ，１Ｄにおけるエッジ８は、例えばエッジ位置調整部材４１Ｃ，４１Ｄのみに形成されてもよい。すなわち、本体部３Ｃ，３Ｄには、例えば第一エッジ４２Ｃ，４２Ｄ（エッジ８をなす部位）が形成されなくてもよい。この場合でも、大きさ（特にウィンドウェイ４の長手方向におけるエッジ８の長さ寸法）が互いに異なる複数種類のエッジ位置調整部材４１Ｃ，４１Ｄを用意し、複数種類のエッジ位置調整部材４１Ｃ，４１Ｄを交換することで、吹き出し口７とエッジ８との相対的な間隔を変化させることができる。
【００４７】
〔第四実施形態〕
次に、図１０を参照して本発明の第四実施形態について説明する。本実施形態では、第一〜第三実施形態と同様の構成要素について同一符号を付す等して、その説明を省略する。
【００４８】
図１０に示すように、本実施形態の発音体１Ｅは、第三実施形態と同様の唄口部２Ｅ、本体部３Ｅ、エッジ８及び間隔調整部２０Ｅを備える。すなわち、本実施形態の間隔調整部２０Ｅは、唄口部２Ｅ及び本体部３Ｅの少なくとも一方に対して着脱可能に取り付けられる取付調整部である。
ただし、本実施形態における取付調整部は、ウィンドウェイ４の吹き出し口７をなす部位を有し、唄口部２Ｅに対して着脱可能に取り付けられる吹出口位置調整部材５１である。以下、本実施形態の吹出口位置調整部材５１を含む発音体１Ｅの構成について、具体的に説明する。
【００４９】
本実施形態の発音体１Ｅにおける吹き出し口７は、唄口部２Ｅに形成された第一吹き出し口５２と、吹出口位置調整部材５１に形成された第二吹き出し口５３とを含む。すなわち、第一吹き出し口５２及び第二吹き出し口５３は、いずれも発音体１Ｅの吹き出し口７をなす部位である。また、本実施形態の発音体１Ｅにおいて吹き出し口７が開口する開口端面１０は、唄口部２Ｅに形成された第一開口端面５４と、吹出口位置調整部材５１に形成された第二開口端面５５とを含む。すなわち、第一開口端面５４及び第二開口端面５５は、いずれも発音体１Ｅの開口端面１０をなす部位である。
【００５０】
吹出口位置調整部材５１は、唄口部２Ｅの第一開口端面５４に重ねて配される板状の位置調整板部５６を備える。位置調整板部５６には、その板厚方向に貫通する延長孔部５７が形成されている。延長孔部５７は、位置調整板部５６が唄口部２Ｅの第一開口端面５４に重ねて配された状態で、唄口部２Ｅのウィンドウェイ４に連通する。貫通方向から見た延長孔部５７の形状は、長手方向から見たウィンドウェイ４の形状と一致する。
【００５１】
本実施形態の発音体１Ｅでは、位置調整板部５６を窓部９から本体部３Ｅの空洞５内に挿入することで、位置調整板部５６を唄口部２Ｅの第一開口端面５４に重ねて配することができる。この状態では、延長孔部５７のうちエッジ８側に向く開口が、位置調整板部５６の第二吹き出し口５３となる。また、第二吹き出し口５３が開口する位置調整板部５６の面が、位置調整板部５６の第二開口端面５５となる。
位置調整板部５６を唄口部２Ｅの第一開口端面５４に重ねて配した状態では、第二吹き出し口５３が、唄口部２Ｅの第一吹き出し口５２よりもエッジ８の近くに配される。これにより、発音体１Ｅの吹き出し口７とエッジ８との相対的な間隔を変えることができる。具体的には、発音体１Ｅの吹き出し口７を位置調整板部５６の厚み分だけエッジ８に近づけることができる。
以上のことから、吹出口位置調整部材５１の位置調整板部５６は、本実施形態の発音体１Ｅの吹き出し口７や開口端面１０をなす。
【００５２】
また、本実施形態の吹出口位置調整部材５１は、上記した位置調整板部５６のうち唄口部２Ｅの第一開口端面５４に対向する面から突出して延びる支持板部５８を備える。支持板部５８は、位置調整板部５６を唄口部２Ｅの第一開口端面５４に重ねて配した状態で、唄口部２Ｅの外面に当接する。唄口部２Ｅの外面には、例えば図１０のように唄口部２Ｅが嵌まる凹部５９が形成されてもよい。この場合、支持板部５８が唄口部２Ｅの凹部５９に嵌まることで、位置調整板部５６を唄口部２Ｅの第一開口端面５４に対して位置決めすることができる。
【００５３】
位置調整板部５６を唄口部２Ｅの第一開口端面５４に対して位置決めする手段（位置決め手段）は、上記の構成に限らず、任意であってよい。位置決め手段は、例えば、吹出口位置調整部材５１及び本体部３Ｅの一方に形成された係止突起と、他方に形成されて係止突起が係止する係止溝とによって構成されてもよい。また、位置決め手段は、例えば、磁力によって位置調整板部５６を唄口部２Ｅの第一開口端面５４に固定される構成であってもよい。例えば、唄口部２Ｅの第一開口端面５４にマグネットが設けられ、吹出口位置調整部材５１（特に位置調整板部５６）が鉄板によって構成されてもよい。
【００５４】
以上説明したように、本実施形態の発音体１Ｅによれば、第三実施形態と同様の効果を奏する。すなわち、吹出口位置調整部材５１を本体部３Ｅに対して着脱するだけで、吹き出し口７とエッジ８との相対的な間隔を簡単に変えることができる。
また、本実施形態の吹出口位置調整部材５１は、従来構成の発音体に対して着脱可能に構成されている。このため、従来構成の発音体に吹出口位置調整部材５１を適用するだけで、従来構成の発音体の音色を変えることもできる。
また、位置調整板部５６の厚さが異なる複数種類の吹出口位置調整部材５１を交換することで、より多くの種類の音色を出力することも可能となる。
【００５５】
以上、本発明について詳細に説明したが、本発明は上記実施形態に限定されるものではなく、本発明の趣旨を逸脱しない範囲において種々の変更を加えることが可能である。
【００５６】
第一実施形態の発音体１Ａにおいては、例えば、第二実施形態の一対の保持用溝３５，３５が筒部２２の内周面及び柱状部２５の外周面の一方に形成され、第二実施形態の一対の突起３６，３６が筒部２２の内周面及び柱状部２５の外周面の他方に形成されてもよい。
【００５７】
第二実施形態の発音体１Ｂにおいて、本体部３Ｂがリコーダーの頭部管の他、中部管や足部管も含む場合、可動部材３２には、例えばリコーダーの音孔が形成されてもよい。
第二実施形態の発音体１Ｂにおいては、例えば保持用溝３５が可動部材３２に形成され、突起３６が挿入溝３３の内側面３４に形成されてもよい。
【００５８】
また、第一、第二実施形態の発音体１Ａ，１Ｂにおいては、例えば、挿入部２４や可動部材３２に、係止部が設けられ、筒部２２や本体部３Ｂに、挿入部２４や可動部材３２の移動方向に間隔をあけて配列され、係止部に係止する複数の被係止部が設けられてもよい。ここで、係止部及び被係止部の一方は凸部であり、他方は凸部が挿入される凹部である。また、係止部及び各被係止部は、挿入部２４や可動部材３２を筒部２２や本体部３Ｂに対して移動させようとする所定以上の力が、挿入部２４や可動部材３２に作用した際に、係止部と各被係止部との係止状態が解除されるように形成される。
【００５９】
第一、第二実施形態の発音体１Ａ，１Ｂが上記した係止部及び被係止部を有する場合には、筒部２２と挿入部２４との間、また、本体部３Ｂと可動部材３２との間に摩擦が無くても、係止部と被係止部とが係止する位置において、挿入部２４や可動部材３２を保持することができる。すなわち、演奏中において音色が不意に変化することを防止できる。また、吹き出し口７とエッジ８との間隔と音色との関係が明確となるため、簡単に所望の音色に設定することが可能となる。
【００６０】
また、第一、第二実施形態の発音体１Ａ，１Ｂにおいては、例えば、ウィンドウェイ４の長手方向における筒部２２と挿入部２４との相対的な位置、また、本体部３Ｂと可動部材３２との相対的な位置を示す目盛りが、筒部２２と挿入部２４との境界部分や、本体部３Ｂと可動部材３２との境界部分に形成されてもよい。この場合でも、吹き出し口７とエッジ８との間隔と音色との関係を明確にすることができるため、簡単に所望の音色に設定することが可能となる。
【００６１】
また、本発明の発音体では、唄口部やエッジが本体部に対して移動可能に設けられる第一、第二実施形態の構成、及び、第三、第四実施形態の取付調整部が適宜組み合わされてもよい。
また、本発明の発音体では、取付調整部が、例えば第三実施形態のエッジ位置調整部材４１Ｃ，４１Ｄ、及び、第四実施形態の吹出口位置調整部材５１の両方を備えてもよい。
【００６２】
また、本発明の発音体は、リコーダーに限らず、例えばオカリナ等の他のエアリード楽器や、各種のホイッスルなどにも適用可能である。
【符号の説明】
【００６３】
１Ａ，１Ｂ，１Ｃ，１Ｄ，１Ｅ…発音体、２Ａ，２Ｂ，２Ｃ，２Ｄ，２Ｅ…唄口部、３Ａ，３Ｂ，３Ｃ，３Ｄ，３Ｅ…本体部、４…ウィンドウェイ、７…吹き出し口、８…エッジ、２０Ａ，２０Ｂ，２０Ｃ，２０Ｄ，２０Ｅ…間隔調整部、２１Ａ，２１Ｂ…可動調整部、４１Ｃ，４１Ｄ…エッジ位置調整部材（取付調整部）、４２Ｃ，４２Ｄ…第一エッジ、４３Ｃ，４３Ｄ…第二エッジ、５１…吹出口位置調整部材（取付調整部）、５２…第一吹き出し口、５３…第二吹き出し口
【図１】
2017129610.tif 000003
【図２】
2017129610.tif 000004
【図３】
2017129610.tif 000005
【図４】
2017129610.tif 000006
【図５】
2017129610.tif 000007
【図６】
2017129610.tif 000008
【図７】
2017129610.tif 000009
【図８】
2017129610.tif 000010
【図９】
2017129610.tif 000011
【図１０】
2017129610.tif 000012